(57)【要約】      （修正有）【課題】管路の配管を行う時に、カプラー両端の配管角度を調整するのに便利なクイックカプラーを提供する。【解決手段】クイックカプラーは、第１継ぎ手と、第２継ぎ手と、クイックカプラーカバーとを備える。第１継ぎ手は、クイックカプラーカバーにおける複数のノッチの少なくともその中の１つと噛み合わせることができる少なくとも１つの突起を備え、噛み合わせた時の異なる相対角度によって、クイックカプラー両端の配管角度を変更させる。また、第２継ぎ手の外側には、クイックカプラーカバー内部の少なくとも１つの滑り溝と接合する少なくとも１つの凸出した滑りブロックを備えることにより、急速接合を実現することができる。【選択図】図１Ｂ
0003127321.tif 000002
【実用新案登録請求の範囲】
【請求項１】
複数のノッチを備えたクイックカプラーカバーと、
前記クイックカプラーカバーの一開口端部に配置され、少なくとも１つの突起を備え、かつ、少なくともその１つの突起を幾つかの前記ノッチと噛み合わせることにより、接続された時の相手との相対角度を調整し、ひいては前記クイックカプラー両端の配管角度を変更させるための第１継ぎ手と、
急速に前記クイックカプラーカバーと接合することにより、前記第１継ぎ手と接続するための第２継ぎ手と、を包含することを特徴とするクイックカプラー。
【請求項２】
前記少なくとも１つの突起が、幾つかの前記ノッチと同一の数を備えることにより、幾つかの前記ノッチと一対一で噛み合うとともに、めいめいの幾つかの前記ノッチの間隔が約６度であることを特徴とする請求項１記載のクイックカプラー。
【請求項３】
前記第１継ぎ手が、さらに、固定装置と固定装置溝を備え、前記固定装置を前記固定装置溝内に配置することにより、前記第１継ぎ手と前記クイックカプラーカバーとが分離するのを避け、前記固定装置が、
前記第１継ぎ手の固定装置溝内に配置されて、前記第１継ぎ手と前記クイックカプラーカバーとが分離するのを避けるための２つのＬ型ハ−フリングと、
前記２つのＬ型ハ−フリングの外部に配置されて、前記第１継ぎ手と前記クイックカプラーカバーとが分離するのを避け、さらに、前記第１継ぎ手と前記クイックカプラーカバーとの相対角度を調整するための緩衝空間を提供する弾性固定ワッシャーと、を含むことを特徴とする請求項１記載のクイックカプラー。
【請求項４】
前記第２継ぎ手外部に少なくとも１つの滑りブロックを備え、前記クイックカプラーカバーが少なくとも１つの滑り溝を含むことにより、互いに急速に接合することを特徴とする請求項１記載のクイックカプラー。
【請求項５】
前記第２継ぎ手が、さらに、弾性漏れ防止ワッシヤと、漏れ防止ワッシャー溝とを含み、かつ前記弾性漏れ防止ワッシャーが前記第２継ぎ手の漏れ防止ワッシャー溝に配置されて、流体が前記クイックカプラーから漏れ出すことを防ぐことを特徴とする請求項１記載のクイックカプラー。
【考案の詳細な説明】
【技術分野】
【０００１】
本考案は、クイックカプラーに関し、特にカプラー両端の配管角度を変更させることができるクイックカプラーに関する。
【背景技術】
【０００２】
従来より、配管工事で管と管とを接続する場合、例えば、気体や液体の圧力配管、またはその他の配管における管の接続は、通常継ぎ手を利用することによって、管路の接続と、管路配管方向の変更が簡便に行われるようになっている。しかしながら、大量配管を行う場合、すべてのカプラーを締めつけるのに、多大の時間消費は必需である。そのために、管路接続時間を省くためにクイックカプラーが使用されている。クイックカプラーは、１対の特殊接合装置を設けた雄雌式のカプラーで、過去におけるねじを用いて固定するのに必要な時間を減少させようとするものである。この方法は、迅速ではあるものの、クイックカプラーが係止めされた後は、カプラー両端の配管角度もこれに件って固定されてしまうので、今迄はこのような問題を解決するために、クイックカプラーに加え、ユニオンのような回転管継ぎを使用している。
【考案の開示】
【考案が解決しようとする課題】
【０００３】
しかしながら、クイックカプラーの外にユニオンの装置を加えると、配管の直線度が影響を受けるばかりでなく、配管が複雑化し、ひいては施工時の効率に影響することになる。
【０００４】
それゆえ、設計を改良して、使用者が配管する時に管路を接続するのに必要な時間を省くとともに、カプラー両端の配管角度を調整するのに便利なクイックカプラーが要望されている。
【課題を解決するための手段】
【０００５】
このために、本考案の目的は、管路の配管を行う時に、カプラー両端の配管角度を調整するのに便利なクイックカプラーを提供することにある。
【０００６】
前記目的を達成するために、本考案のクイックカプラーは、内部に少なくとも１つのノッチを備えたクイックカプラーカバーと、第１継ぎ手と、クイックカプラーカバーとで急速接合を行う第２継ぎ手とを包含する。この第１継ぎ手は、クイックカプラーカバー内における複数ノッチの少なくともその中の１つと噛み合うことにより、配管角度の調整を行う少なくとも１つの突起を含み、第１継ぎ手は、さらに、第１継ぎ手とクイックカプラーカバーとが分離することを防ぐための２つのＬ型ハ−フリングと、弾性固定ワッシャーとを含み、その中で、両Ｌ型ハ−フリングと弾性固定ワッシャーとで固定装置を構成する。第２継ぎ手は、流体が第１継ぎ手と第２継ぎ手の間隙から流出するのを防ぐ弾性漏れ防止ワッシャーを含み、第２継ぎ手は、さらに、クイックカプラーカバー内の少なくとも１つの滑り溝と急速に接合できる少なくとも１つの滑り溝を含む。
【考案の効果】
【０００７】
このため、本考案のクイックカプラーは、クイックカプラーを提供することによって、配管時における消費時間を省けるばかリでなく、さらに、第１継ぎ手の突起とクイックカプラーカバー内におけるノッチとの噛み合いの相対角度を調整することによって、クイックカプラー両端の配管角度を変更する機能を実現させることができる。
【０００８】
従来、クイックカプラーを接合した後、クイックカプラー両端の配管角度がこれに伴って固定されてしまい、時には配管上不都合となる問題を解決するため、本考案では、改良したクイックカプラーを提供する。それは、第１継ぎ手の少なくとも１つの突起を利用し、クイックカプラーカバー内の複数のノッチの少なくともその中の１つと噛み合わせることにより、接合時における異なる相対角度を調整し、ひいてはカプラー両端の配管角度を変更させることにより、前記の問題を克服するものである。
【考案を実施するための最良の形態】
【０００９】
図１Ａを参照して、図１Ａは、本考案による好適な一実施例のクイックカプラーの斜視図である。クイックカプラー１１０は、三つの部分を備える。すなわち、第１継ぎ手１２０と、クイックカプラーカバー１３０と、第２継ぎ手１４０である。その中の第１継ぎ手１２０は、クイックカプラーカバー１３０とで角度の調整を行うカプラーの一端部であり、第２継ぎ手１４０は、クイックカプラーカバー１３０とで急速接合を行うカプラーの一端部である。
【００１０】
図１Ｂを参照して、図１Ｂは、本考案による好適な一実施例のクイックカプラーの断面図である。第１継ぎ手１２０をクイックカプラーカバー１３０に組み込んだ後、さらに両Ｌ型ハ−フリング１２２と、１２４とを固定装置溝１２１の中に差し入れ、さらに、弾性固定ワッシャー１２６で固定すれぱ、第１継ぎ手１２０とクイックカプラーカバー１３０が分離するのを防ぐことができる。すなわち、両Ｌ型ハ−フリング１２２と、１２４と、弾性固定ワッシャー１２６とで固定装置１５０が構成される。
【００１１】
図２と図３とを同時に参照して、図２は本考案による好適な一実施例のクイックカプラーの第１継ぎ手斜視図である。図３は本考案による好適な一実施例のクイックカプラーのクイックカプラーカバー平面図である。第１継ぎ手１２０の下方には、比較的突出したフランジ１５４を備えている。フランジ１５４の直径は、クイックカプラーカバー１３０の開口１６０の口径よりも大きくする必要がある。第１継ぎ手１２０をクイックカプラーカバー１３０に組み込んだ後、前記の固定装置１５０を固定装置溝１２１の中に差し入れると、第１継ぎ手１２０とクイックカプラーカバー１３０とが分離することを防止することができる。第１継ぎ手１２０の外側で、第１継ぎ手１２０とクイックカプラーカバー１３０の接合面１３６、すなわちフランジ１５４の上方には、なお、クイックカプラーカバー１３０内における複数のノッチ１６４の少なくともその中１つのと噛み合うことができる少なくとも１つの突起１２８を備えている。弾性固定ワッシャー１２６は、固定機能を担う外に、弾力緩衝の機能をも有している。第１継ぎ手１２０をクイックカプラーカバー１３０方向に向けて押圧を加えると、弾性固定ワッシャー１２６が圧縮されて、緩衝空間を生ずるため、突起１２８をクイックカプラーカバー１３０内の複数のノッチ１６４から脱離させることができる。その結果、相対的回動の自由度を生じ、使用者が第１継ぎ手１２０及び／又はクイックカプラーカバー１３０を回動させることで、第１継ぎ手１２０とクイックカプラーカバー１３０とを接合した時の相対角度１６８を調整することができる。これによって、クイックカプラー１１０両端の配管角度を変更させることができる。
【００１２】
図１Ｂと図４とを同時に参照して、図４は、本考案による好適な一実施例のクイックカプラーの第２継ぎ手斜視図である。第２継ぎ手１４０は、第２継ぎ手１４０の漏れ防止ワッシャー溝１４６の中に配置された弾性漏れ防止ワッシャー１４２を備え、第２継ぎ手１４０とクイックカプラーカバー１３０とを接合した時のショックを緩和し、さらに、流体がカプラーの間隙から漏れ出すことを防ぐ機能を持っている。第２継ぎ手１４０は、さらに、少なくとも１つの凸出した特定の切削外形を有する滑りブロック１４４を備え、それがクイックカプラーカバー１３０内における対応する少なくとも１つの滑り溝１３２と接合することにより、急速接合の作用を実現することができる。
【００１３】
従って、本考案のクイックカプラーは第１継ぎ手１２０とクイックカプラーカバー１３０とが噛み合わせられた時の相対角度を調整することにより、従来の技術におけるクイックカプラー１１０両端の配管角度固定の問題を解決することができる。
【００１４】
本考案のクイックカプラー１１０の第１継ぎ手１２０は、さらに、第１継ぎ手１２０とクイックカプラーカバー１３０との接合面１３６に放射状に配置して形成された複数の突起１２８を備えることにより、一対一でクイックカプラーカバー内の複数のノッチ１６４と噛み合わせることができる。ここで、クイックカプラーカバー１３０内の複数のノッチ１６４の数と前記複数の突起１２８とは、好ましくは６０個とされている。言い換えると、それぞれのノッチ間隔が対応する円心角度は６度である。この第１継ぎ手１２０をクイックカプラーカバー１３０の方向に向けて押圧（あるいはクイックカプラーカバー１３０を第１継ぎ手１２０の方向に向けて押圧）した時、弾性固定ワッシャー１２６が、緩衝空間を提供するので、第１継ぎ手１２０とクイックカプラーカバー１３０とを組み合わせた時の相対角度１６８を調整し、ひいてはクイックカプラー１１０両端の配管角度を変更させることができる。上述のように、それぞれの相対角度１６８が約６度である。これは相隣り合う２つのノッチ１６４の間隔を示すものでもある。また、第２継ぎ手１４０の外側には、２つの特定の切削外形を有する滑りブロック１４４と１４５とが設けられ、クイックカプラーカバー１３０内に設けられた、対応する２つの滑り溝１３２と１３３とを接合させることで、急速接合の目的を達成することができる。
【００１５】
本考案では、既に前記の如く幾つかの好適な実施例を開示したが、それは本考案を限定するためのものではなく、当然のことながら、この技術に熟知するものなら誰しも本考案の精神と範囲内を逸脱せずに各種の変更と修飾を加えることができる。従って、本考案の保護範囲は、当然添付の請求項に限定されたものであると見なすべきである。
【図面の簡単な説明】
【００１６】
【図１Ａ】本考案による好適な一実施例のクイックカプラーを示す斜視図である。
【図１Ｂ】本考案による好適な一実施例のクイックカプラーを示す断面図である。
【図２】本考案による好適な一実施例のクイックカプラーの第１継ぎ手を示す斜視図である。
【図３】本考案による好適な一実施例のクイックカプラーのクイックカプラーカバーを示す平面図である。
【図４】本考案による好適な一実施例のクイックカプラーの第２継ぎ手を示す斜視図である。
【符号の説明】
【００１７】
１１０      クイックカプラー
１２０      第１継ぎ手
１２１      固定装置溝
１２２      Ｌ型ハーフリング
１２４      Ｌ型ハーフリング
１２６      弾性固定ワッシャー
１２８      突起
１３０      クイックカプラーカバー
１３２      滑り溝
１３３      滑り溝
１３６      接合面
１４０      第２継ぎ手
１４２      弾性濡れ防止ワッシャー
１４４      滑りブロック
１４５      滑りブロック
１４６      濡れ防止ワッシャー溝
１５０      固定装置
１５４      フランジ
１６０      開口
１６４      ノッチ
１６６      滑り防止ローレット目
１６８      相対角度
【図１Ａ】
0003127321.tif 000003
【図１Ｂ】
0003127321.tif 000004
【図２】
0003127321.tif 000005
【図３】
0003127321.tif 000006
【図４】
0003127321.tif 000007